(57)【要約】【課題】  １本の紐を結んで構成され、ストラップやアクセサリーとしても使うことが出来るお守りの提供。【解決手段】  お守り１の形状は人を模り、中央部には結び目３を設け、該結び目３を中心として上方に頭部４を長リングにて形成し、左右両側には腕５，５となる細長いリングを延ばし、そして下方へは２本の脚６，６を延ばした形状としている。【選択図】    図１
0003203618.tif 000002
【実用新案登録請求の範囲】
【請求項１】
１本の紐を結んで構成するお守りにおいて、該お守りの形状は人を模り、中央部には結び目を設け、該結び目を中心として上方に頭部を長リングにて形成し、左右両側には腕と成る細長いリングを延ばし、そして下方へは２本の脚を延ばした形状としたことを特徴とする守り。
【請求項２】
上記結び目に１個乃至複数個の石を取付けた請求項１記載のお守り。
【請求項３】
上記結び目をあげまき結びを用いて構成した請求項１、又は請求項２記載のお守り。
【請求項４】
上記紐として、五色の細い糸を撚って作られる五色紐を用いた請求項１、請求項２、又は請求項３記載のお守り。
【考案の詳細な説明】
【技術分野】
【０００１】
本考案は紐を使い、主としてあげまき結びにて構成されるお守りに関するものである。
【背景技術】
【０００２】
お守りは主として神社やお寺で扱われ、お守りを身に付けていることで、色々な病気や災難から守ることが出来ると昔から言われて来ている。その為に、神社や寺では多くのお守りが販売されている。例えば、健康守り、長寿守り、安産守り、受験必勝守り、良縁祈願、交通安全、家内安全、商売繁盛・・・など、お守りの種類は数多く知られている。
また、各神社では名称を入れた固有のお守りも販売されていて、正月の初詣では毎年新たなお守りを購入する人が多い。
【０００３】
図４は従来の一般的なお守り（イ）であり、お札を袋（ロ）に収容すると共に該袋（ロ）の上部には紐（ハ）が結ばれている。このように、お守り（イ）は図      に示しているように、袋（ロ）に「健康守り」と言った祈願が表示され、その為に目的に応じた数多くのお守りが必要となる。すなわち、一人が複数のお守り（イ）、（イ）・・・を所持する場合も多い。
お守り（イ）を販売する神社や寺では数多くのお守りが売れる為に好ましいかもしれないが、一般人にとっては不便である。
【０００４】
また、従来のお守り（イ）はバッグやスーツのポケット又は財布に入れて持ち歩くことが一般的で、アクセサリー代わりとして使うことは出来ず、携帯電話機などのストラップとしても適していない。
今日の若者は携帯電話機、財布、手帳などにストラップを付けることが多く、お守りがストラップとしても機能するならば、さらに使用する者は多くなり、気軽に該お守りを携帯することが出来、常に身に付けていることも可能となる。
【０００５】
特開２０１０−２５２９６６号に係る「お守り」は、簡易な構成でステンドグラス風の視覚効果を奏するお守りである。
すなわち、透明のフィルム材の上に、着色した光透過性の水系合成樹脂塗料等で図柄や模様を描き、そのフィルム材を所望の形状の透明プラスチック材からなる本体パネルに貼り付ける。こうすることで、装飾性に優れたステンドグラス風のお守りを簡易かつ経済的に製造できる。また、お守り本体を回転自在の金具等からなる支持部で吊るすことで、あらゆる方向からステンドグラス風の模様を視覚的に楽しむことができる。
【０００６】
特開２００７−６８６１８号に係る「お守り」は、内部を視覚的に容易に確認することができるようにしているお守りである。
すなわち、お守りに使用する織物地の一部がメッシュ構造となるように織り上げ、それを裁断した織物で護符を内包するよう、お守り本体を構成する織物の表面あるいは裏面に単独で、あるいは複合した状態で図柄や模様、あるいは文字を表出させるとともに、織物の一部にメッシュ部を設ける。メッシュ部における織物の編地密度を他の部分よりも粗く織ることで、お守りの内容物である護符を直ちに認識できる。
【０００７】
これらの他にも、特開２００７−６１５８０号に係る「お守り」、特開２００３−２５０６９０号に係る「証明書型お守り」など数多くのお守りが特許出願されている。
【特許文献１】特開２０１０−２５２９６６号に係る「お守り」
【特許文献２】特開２００７−６８６１８号に係る「お守り」
【特許文献３】特開２００７−６１５８０号に係る「お守り」
【特許文献４】特開２００３−２５０６９０号に係る「証明書型お守り」
【考案の開示】
【考案が解決しようとする課題】
【０００８】
このように、お守りの形態は色々存在している。しかし、従来のお守りは簡易的なアクセサリーとして、また携帯電話機などのストラップとして使うことは出来ない。本考案が解決しようとする課題はこの問題点であり、特に若者にとってアクセサリーやストラップとしても使うことが可能なお守りを提供する。
【課題を解決するための手段】
【０００９】
本考案に係るお守りは紐を結んで構成し、その形状は人を模っている。そこで、中央部には結び目を設け、該結び目を中心として上方へ頭部を表すリングを延ばし、左右両側へは両腕に相当するリングを細長く延ばしている。そして、下方には２本の脚を延ばした形状としている。
ただし、お守りの大きさに関しては特に限定せず、用途に応じたサイズを準備することが出来る。
【００１０】
ここで、該お守りは１本の紐で構成され、頭部、両腕、及び２本の脚は連続した１本の紐で構成している。また、結び目は原則として「あげまき結び」が採用される。この「あげまき結び」とは、古くから用いられている飾り結びの一種であり、神前幕のたぐり上げ、御社殿の御簾を巻き上げる房の結び方など、神聖なところに使用されている。そして、該結び目には石を取付ける場合もあり、さらに使用する紐としては単色でなく仏の御利益がある五色紐を使う場合もある。
【考案の効果】
【００１１】
本考案に係るお守りは紐を結んで構成し、その形状は人を模ったものとしている。したがって、該お守りは小さくて軽く、ストラップとして携帯電話機などに取付けることが出来、従来型式のストラップに比較して何の違和感もない。そして、簡易的なアクセサリー（例えば、ピンバッチ）として身に付けることも可能である。ただし、あくまでもお守りであることから、従来のような単なるストラップとは異なり、また従来のアクセサリーとは異なり、常に携帯することで神仏からの御加護が得られる。少なくとも、御加護を感じ取ることが出来る。
さらに、紐として五色紐を使用するならば、各方面の仏に守護されるといった安心感が得られる。
【図面の簡単な説明】
【００１２】
【図１】本考案に係るお守りを示す実施例。
【図２】紐を「あげまき結び」にて結んでお守りを作る方法。
【図３】本考案のお守りを示す他の実施例。
【図４】従来の一般的な袋入りお守り。
【考案を実施するための形態】
【００１３】
図１は本考案に係るお守り１を示す実施例である。このように、お守り１は１本の連続した紐２を結んで人を形作り、中央には結び目３が形成されている。同図のお守り１は人を模っていて、結び目３から上方へ頭部４が起立し、そして結び目３から左右両側へは腕５，５を延ばしている。
頭部４及び両腕５，５は長いリング状をした紐２にて形成され、また結び目３から下方へは２本の脚６，６が延びている。
【００１４】
図２（ａ）〜（ｆ）は本考案のお守り１の作り方を示す作業手順である。
（ａ）まず、紐２の左側で普通に一巻し、この際、左端を上から出すように輪７ａを通す。
（ｂ）上記輪７ａの部分に、上から紐２の右端を通す。（輪７ａの上に重なるように紐２の右端を通す。）
（ｃ）そして、右側も一巻して輪７ｂを作り、この際、紐２の右端は作られた輪７ｂの下側を通過して下方へ延びる。すなわち、２つの輪７ａ，７ｂが対を成してメガネのような形状と成る。
（ｄ）左右の輪７ａ，７ｂの結び目の間から指を入れて、同図のＡとＢを引っ張り出す。
（ｅ）ＡとＢが引き出された場合で、これらＡ及びＢを少しづつ引張って締めていく。
（ｆ）同図に示す矢印の箇所をしっかり締めることで結び目３が完成して、前記図１に示す本考案のお守り１が出来上がる。
【００１５】
ところで、あげまき結びにて構成される該結び目３は結び紐８ａ，８ｂ，８ｃ，８ｄにて概略正方形を成し、隣り合う結び紐８ａと８ｂ、結び紐８ｂと８ｃ、結び紐８ｃと８ｄ、結び紐８ｄと８ａはその一部が重なり合っていて、「入形」を形成している。
【００１６】
図１に示すお守り１を構成している紐２は単色であるが、該紐２として五色の糸を撚った五色紐を使用する場合もある。五色紐は五色の糸に五智如来がしみ込むとされている知恵の紐である。この五色紐にてお守り１を作るならば、本考案のお守り本来の効果に加えて各方面の仏に守護され、心と体の健康と魔除けの作用があると信じられている。
すなわち、
ａ．「青糸」は木、東と青竜を意味する。
ｂ．「赤糸」は火、南と朱雀を意味する。
ｃ．「黄糸」は土、中央と金竜を意味する。
ｄ．「白糸」は金、西と白虎を意味する。
ｅ．「黒糸」は水、北と玄武を意味する。
【００１７】
ところで、本考案のお守り１は連続した１本の紐２を結んで構成されるが、この結び方は一般に実施例で説明した「あげまき結び」が採用される。ただし、本考案ではこの「あげまき結び」に限定するものではない。
図３は本考案のお守り９を示す他の実施例である。このお守り９は、その基本的な形態は図１に示すお守り１と同じである。ただし、該お守り９では結び目３に石１０を取付けている。
【００１８】
ここで、石１０の種類やその形状は限定しない。また、同図では結び目３に１個の大きな石１０を取付けているが、小さい石を複数個取付けることも出来る。すなわち、結び目３の各結び紐８ａ，８ｂ・・・に沿わせて複数個の石を取付ける。該石１０の取付け方法としては一般的に接着剤にて固定すればよい。
【符号の説明】
【００１９】
１   お守り
２   紐
３   結び目
４   頭部
５   腕
６   脚
７   輪
８   結び紐
９   お守り
10   石
【図４】
0003203618.tif 000003
【図１】
0003203618.tif 000004
【図２】
0003203618.tif 000005
【図３】
0003203618.tif 000006